【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  ａ）上下表面を有する裏打ち層、
ｂ）裏打ち層の下表面に適用され、実質的に同一の広がりの接着剤層、
ｃ）接着剤層の少なくとも一部に設けられた変換器材料からなる超音波包帯。
【請求項２】  裏打ち層が、ポリウレタンフィルムである請求項１の超音波包帯。
【請求項３】  接着剤層が、ポリアリクル樹脂、ポリビニルエーテル樹脂及びポリウレタン樹脂からなる群から選択された材料から作られる請求項１の超音波包帯。
【請求項４】  変換器材料が、圧電材料を含有する組成物から形成された繊維シートからなる請求項１の超音波包帯。
【請求項５】  繊維シートが、圧電材料を含有する１以上の繊維から織られた織物である請求項４の超音波包帯。
【請求項６】  圧電材料が、ＰＺＴ粉末、セラミック、ＰＶＤＦ、チタン酸ジルコン酸鉛Ｐｂ（Ｚｒ，Ｔｉ）Ｏ3、メタニオブ酸鉛Ｐｂ（Ｎｂ2Ｏ6）、改質チタン酸鉛ＰｂＴｉ3、（Ｐｂ，Ｃａ）ＴｉＯ3、（Ｐｂ，Ｓｍ）ＴｉＯ3、チタン酸バリウムＢａＴｉＯ3、ＰＭＮ−ＰＴ（１−ｘ）Ｐｂ（Ｍｇ1/3，Ｎｂ2/3）Ｏ3−ｘＰｂＴｉＯ3、ＰＺＮ−ＰＴ／ＢＴ  Ｐｂ（Ｚｎ1/3，Ｎｂ2/3）Ｏ3−ｘＰｂＴｉＯ3−ＢａＴｉＯ3、（１−ｘ）Ｐｂ（Ｚｎ1/3，Ｎｂ2/3）Ｏ3−ｘ（ｙＰｂＴｉＯ3−（１−ｙ）ＰｂＺｒＯ3）及びそれらの混合物からなる群から選択される請求項４の超音波包帯。
【請求項７】  繊維シートが、圧電材料を含有する押出繊維から編む、編組む又は織られている請求項４の超音波包帯。
【請求項８】  押出繊維が、その上に形成された被覆物を有する請求項４の超音波包帯。
【請求項９】  被覆物が、膜形成高分子溶液からなる請求項８の超音波包帯。
【請求項１０】  膜形成高分子溶液が、主成分としてポリビニルアルコール及びポリ酢酸ビニル及びマイナー成分としてポリエチレングリコールの混合物を含有する請求項９の超音波包帯。
【請求項１１】  さらに、変換器材料の対向する表面に適用され、実質的に同一の広がりの電極表面と、電極表面の一方に適用され、実質的に同一の広がりのマッチング層とを有する請求項１の超音波包帯。
【請求項１２】  マッチング層が高分子材料と任意に充填剤とからなる請求項１１の超音波包帯。
【請求項１３】  高分子材料が、熱可塑性プラスチック、熱硬化性樹脂、ゴム、エポキシ及びこれらの混合物からなる群から選択される請求項１２の超音波包帯。
【請求項１４】  マッチング層が、ＰＺＴ、タングステン、アルミナ、シリカガラス、タングステンカーバイド及びチタンからなる群から選択された充填剤を含む請求項１２の超音波包帯。
【請求項１５】  マッチング層が、充填剤としてガラス粉末を含む請求項１２の超音波包帯。
【請求項１６】  マッチング層が約２．０から約７．０ＭＲａｙｌｓの音響インピーダンスを有する請求項１１の超音波包帯。
【請求項１７】  さらにマッチング層に適用され、実質的に同一の広がりのカップリング・パッドを有する請求項１１の超音波包帯。
【請求項１８】  カップリング・パッドがハイドロゲルパッドである請求項１７の超音波包帯。
【請求項１９】  カップリング・パッドが、楔のように形成され、軸からはずれて変換器材料から縦波を、内部の所望の反射及び／又はモード変換に向ける請求項１７の超音波包帯。
【請求項２０】  さらに、コネクタとリードを有するコネクター・アセンブリを含み、コネクタは、変換器材料に対して脱着可能にリードを接続し、リードは、ポータブル・メイン・オペレーティング・ユニットに結合される請求項１の超音波包帯。
【請求項２１】  さらに、接着剤層及びカップリング・パッドを被覆し、接着剤層に適用されるカバーを有する請求項１９の超音波包帯。
【請求項２２】  ａ）上下表面を有する裏打ち層を用意し、
ｂ）裏打ち層の下表面に適用され、実質的に同一の広がりの接着剤層を適用し、ｃ）接着剤層の少なくとも一部に変換器材料を設けることからなる超音波包帯の製造方法。
【請求項２３】  裏打ち層が、ポリウレタンフィルムである請求項２２の方法。
【請求項２４】  接着剤層が、ポリアリクル樹脂、ポリビニルエーテル樹脂及びポリウレタン樹脂からなる群から選択された材料から作られる請求項２２の方法。
【請求項２５】  変換器材料が、圧電材料を含有する組成物から形成された繊維シートからなる請求項２２の方法。
【請求項２６】  繊維シートが、圧電材料を含有する１以上の繊維から織られた織物である請求項２５の方法。
【請求項２７】  圧電材料が、ＰＺＴ粉末、セラミック、ＰＶＤＦ、チタン酸ジルコン酸鉛Ｐｂ（Ｚｒ，Ｔｉ）Ｏ3、メタニオブ酸鉛Ｐｂ（Ｎｂ2Ｏ6）、改質チタン酸鉛ＰｂＴｉ3、（Ｐｂ，Ｃａ）ＴｉＯ3、（Ｐｂ，Ｓｍ）ＴｉＯ3、チタン酸バリウムＢａＴｉＯ3、ＰＭＮ−ＰＴ（１−ｘ）Ｐｂ（Ｍｇ1/3，Ｎｂ2/3）Ｏ3−ｘＰｂＴｉＯ3、ＰＺＮ−ＰＴ／ＢＴ  Ｐｂ（Ｚｎ1/3，Ｎｂ2/3）Ｏ3−ｘＰｂＴｉＯ3−ＢａＴｉＯ3、（１−ｘ）Ｐｂ（Ｚｎ1/3，Ｎｂ2/3）Ｏ3−ｘ（ｙＰｂＴｉＯ3−（１−ｙ）ＰｂＺｒＯ3）及びそれらの混合物からなる群から選択される請求項２５の方法。
【請求項２８】  押出繊維が、その上に形成された被覆物を有する請求項２５の方法。
【請求項２９】  被覆物が、膜形成高分子溶液からなる請求項２８の方法。
【請求項３０】  膜形成高分子溶液が、主成分としてポリビニルアルコール及びポリ酢酸ビニル及びマイナー成分としてポリエチレングリコールの混合物を含有する請求項２９の方法。
【請求項３１】  さらに、変換器材料の対向する表面に適用され、実質的に同一の広がりの電極表面と、電極表面の一方に適用され、実質的に同一の広がりのマッチング層とを有する請求項２２の方法。
【請求項３２】  マッチング層が高分子材料と任意に充填剤とからなる請求項３１の方法。
【請求項３３】  高分子材料が、熱可塑性プラスチック、熱硬化性樹脂、ゴム、エポキシ及びこれらの混合物からなる群から選択される請求項３２の方法。
【請求項３４】  マッチング層が、ＰＺＴ、タングステン、アルミナ、シリカガラス、タングステンカーバイド及びチタンからなる群から選択された充填剤を含む請求項３２の方法。
【請求項３５】  マッチング層が、充填剤としてガラス粉末を含む請求項３２の方法。
【請求項３６】  マッチング層が約２．０から約７．０ＭＲａｙｌｓの音響インピーダンスを有する請求項３１の方法。
【請求項３７】  さらに、マッチング層に適用され、実質的に同一の広がりのカップリング・パッドを有する請求項３１の方法。
【請求項３８】  カップリング・パッドがハイドロゲルパッドである請求項３７の方法。
【請求項３９】  カップリング・パッドが、楔のように形成され、軸からはずれて変換器材料から縦波を、内部の所望の反射及び／又はモード変換に向ける請求項３７の方法。
【請求項４０】  さらに、超音波包帯の変換器材料に、コネクタとリードを有するコネクター・アセンブリを接続することを含む請求項２２の方法。
【請求項４１】  ａ）上下表面を有する裏打ち層、
ｂ）裏打ち層の下表面に適用され、実質的に同一の広がりの接着剤層、
ｃ）変換器材料間の間隔を規定する隣接関係で配置された複数の変換器材料からなるアレイ（アレイは、接着層の少なくとも一部に設けられており）、
ｄ）アレイに適用されるコネクタ・アセンブリからなる超音波変換器アレイ包帯。
【請求項４２】  裏打ち層が、ポリウレタン膜である請求項４１の超音波変換器アレイ包帯。
【請求項４３】  裏打ち層が、ポリアリクル樹脂、ポリビニルエーテル樹脂及びポリウレタン樹脂からなる群から選択される材料から形成される請求項４１の超音波変換器アレイ包帯。
【請求項４４】  各変換器材料が、圧電材料を含有する組成物から形成された繊維シートからなる請求項４１の超音波変換器アレイ包帯。
【請求項４５】  繊維シートが、圧電材料を含有する１以上の押出繊維から織られた織物である請求項４４の超音波変換器アレイ包帯。
【請求項４６】  圧電材料が、ＰＺＴ粉末、セラミック、ＰＶＤＦ、チタン酸ジルコン酸鉛Ｐｂ（Ｚｒ，Ｔｉ）Ｏ3、メタニオブ酸鉛Ｐｂ（Ｎｂ2Ｏ6）、改質チタン酸鉛ＰｂＴｉ3、（Ｐｂ，Ｃａ）ＴｉＯ3、（Ｐｂ，Ｓｍ）ＴｉＯ3、チタン酸バリウムＢａＴｉＯ3、ＰＭＮ−ＰＴ（１−ｘ）Ｐｂ（Ｍｇ1/3，Ｎｂ2/3）Ｏ3−ｘＰｂＴｉＯ3、ＰＺＮ−ＰＴ／ＢＴ  Ｐｂ（Ｚｎ1/3，Ｎｂ2/3）Ｏ3−ｘＰｂＴｉＯ3−ＢａＴｉＯ3、（１−ｘ）Ｐｂ（Ｚｎ1/3，Ｎｂ2/3）Ｏ3−ｘ（ｙＰｂＴｉＯ3−（１−ｙ）ＰｂＺｒＯ3）及びそれらの混合物からなる群から選択された請求項４４の超音波変換器アレイ包帯。
【請求項４７】  繊維シートが、圧電材料を含有する押出繊維から編む、編組む又は織られている請求項４４の超音波変換器アレイ包帯。
【請求項４８】  押出繊維が、その上に形成された被覆物を有する請求項４４の超音波変換器アレイ包帯。
【請求項４９】  被覆物が、膜形成高分子溶液からなる請求項４８の超音波変換器アレイ包帯。
【請求項５０】  膜形成高分子溶液が、主成分としてポリビニルアルコール及びポリ酢酸ビニル及びマイナー成分としてポリエチレングリコールの混合物を含有する請求項４９の超音波変換器アレイ包帯。
【請求項５１】  さらに、変換器材料の対向する表面に適用され、実質的に同一の広がりの電極表面と、電極表面の一方に適用され、実質的に同一の広がりのマッチング層とを有する請求項４１の超音波変換器アレイ包帯。
【請求項５２】  マッチング層が高分子材料と任意に充填剤とからなる請求項５１の超音波変換器アレイ包帯。
【請求項５３】  高分子材料が、熱可塑性プラスチック、熱硬化性樹脂、ゴム、エポキシ又はこれらの混合物からなる群から選択された請求項５２の超音波変換器アレイ包帯。
【請求項５４】  マッチング層が、ＰＺＴ、タングステン、アルミナ、シリカガラス、タングステンカーバイド及びチタンからなる群から選択された充填剤を含む請求項５２の超音波変換器アレイ包帯。
【請求項５５】  マッチング層が、充填剤としてガラス粉末を含む請求項５２の超音波変換器アレイ包帯。
【請求項５６】  マッチング層が約２．０から約７．０ＭＲａｙｌｓの音響インピーダンスを有する請求項５１の超音波変換器アレイ包帯。
【請求項５７】  さらに、マッチング層に適用され、実質的に同一の広がりのカップリング・パッドを有する請求項５１の超音波変換器アレイ包帯。
【請求項５８】  カップリング・パッドがハイドロゲルパッドである請求項５７の超音波変換器アレイ包帯。
【請求項５９】  カップリング・パッドが、楔のように形成され、軸からはずれて変換器材料から縦波を、内部の所望の反射及び／又はモード変換に向ける請求項５７の超音波変換器アレイ包帯。
【請求項６０】  コネクタ・アセンブリが、コネクタとリードを有し、コネクタは、アレイに対して脱着可能にリードを接続し、リードは、ポータブル・メイン・オペレーティング・ユニットに結合される請求項４１の超音波変換器アレイ包帯。
【請求項６１】  さらに、接着剤層及びカップリング・パッドを被覆し、接着剤層に適用されるカバーを有する請求項４１の超音波変換器アレイ包帯。
【請求項６２】  ａ）上下表面を有する裏打ち層を用意し、
ｂ）裏打ち層の下表面に適用し、実質的に同一の広がりであり、
ｃ）変換器材料間の間隔を規定する隣接関係で配置された複数の変換器材料からなるアレイを、接着剤層の少なくとも一部に設け、
ｄ）アレイにコネクタ・アセンブリを適用することからなる超音波変換器アレイ包帯の製造方法。
【請求項６３】  裏打ち層が、ポリウレタンフィルムである請求項６２の方法。
【請求項６４】  裏打ち層が、ポリアリクル樹脂、ポリビニルエーテル樹脂及びポリウレタン樹脂からなる群から選択された材料から形成される請求項６２の方法。
【請求項６５】  変換器材料が、圧電材料を含有する組成物から形成された繊維シートからなる請求項６２の方法。
【請求項６６】  圧電材料が、ＰＺＴ粉末、セラミック、ＰＶＤＦ、チタン酸ジルコン酸鉛Ｐｂ（Ｚｒ，Ｔｉ）Ｏ3、メタニオブ酸鉛Ｐｂ（Ｎｂ2Ｏ6）、改質チタン酸鉛ＰｂＴｉ3、（Ｐｂ，Ｃａ）ＴｉＯ3、（Ｐｂ，Ｓｍ）ＴｉＯ3、チタン酸バリウムＢａＴｉＯ3、ＰＭＮ−ＰＴ（１−ｘ）Ｐｂ（Ｍｇ1/3，Ｎｂ2/3）Ｏ3−ｘＰｂＴｉＯ3、ＰＺＮ−ＰＴ／ＢＴ  Ｐｂ（Ｚｎ1/3，Ｎｂ2/3）Ｏ3−ｘＰｂＴｉＯ3−ＢａＴｉＯ3、（１−ｘ）Ｐｂ（Ｚｎ1/3，Ｎｂ2/3）Ｏ3−ｘ（ｙＰｂＴｉＯ3−（１−ｙ）ＰｂＺｒＯ3）及びそれらの混合物からなる群から選択される請求項６５の方法。
【請求項６７】  繊維シートが、圧電材料を含有する１又はそれ以上の繊維から織られた織物である請求項６５の方法。
【請求項６８】  さらに、押出繊維を編む、編組む又は織ることにより繊維シートを形成する工程を含む請求項６５の方法。
【請求項６９】  さらに、繊維シートを形成する前に、押出繊維に被膜を塗布する請求項６８の方法。
【請求項７０】  被膜が膜形成高分子溶液からなる請求項６９の方法。
【請求項７１】  膜形成高分子溶液が、主成分としてポリビニルアルコール及びポリ酢酸ビニル及びマイナー成分としてポリエチレングリコールの混合物を含有する請求項７０の方法。
【請求項７２】  さらに、変換器材料の対向する表面に適用され、実質的に同一の広がりの電極表面と、電極表面の一方に適用され、実質的に同一の広がりのマッチング層とを有する請求項６２の方法。
【請求項７３】  マッチング層が高分子材料と任意に充填剤とからなる請求項７２の方法。
【請求項７４】  高分子材料が、熱可塑性プラスチック、熱硬化性樹脂、ゴム、エポキシ及びこれらの混合物からなる群から選択された請求項７３の方法。
【請求項７５】  マッチング層が、ＰＺＴ、タングステン、アルミナ、シリカガラス、タングステンカーバイド及びチタンからなる群から選択された充填剤を含む請求項７３の方法。
【請求項７６】  マッチング層が、充填剤としてガラス粉末を含む請求項７３の方法。
【請求項７７】  マッチング層が約２．０から約７．０ＭＲａｙｌｓの音響インピーダンスを有する請求項７２の方法。
【請求項７８】  さらに、カップリング・パッドをマッチング層に適用し、実質的に同一の広がりである請求項７２の方法。
【請求項７９】  カップリング・パッドがハイドロゲルパッドである請求項７８の方法。
【請求項８０】  カップリング・パッドが、楔のように形成され、軸からはずれて変換器材料から縦波を、内部の所望の反射及び／又はモード変換に向ける請求項７８の方法。
【請求項８１】  コネクタ・アセンブリがコネクタとリードを有する請求項６２の方法。